(57)【要約】      （修正有）【課題】表示変更により心理状態に変化をもたらすようにした振子を利用する心理実験装置を提供する。【解決手段】心理実験装置１は、手指で摘む糸２１と、この糸２１によって吊り下げられ、無意識による手指の振れを増幅させて振れる重り２２と、この重り２２の下方に配置され、心理状態に影響を及ぼす言葉１１と重り２２の振れの状態を測定するための目盛１３が表示されているシート１０と、を備えている。この心理実験装置１は、糸２１を手指で持ちつつ言葉１１を認識した者の手指の振れる方向を、重り２２の振れ方により判定するものである。【選択図】図３
0003182049.tif 000002
【実用新案登録請求の範囲】
【請求項１】
手指で摘む紐状部材と、
前記紐状部材によって吊り下げられ、無意識による手指の振れを増幅させて振れる重りと、
前記重りの下方に配置され、心理状態に影響を及ぼす言葉と前記重りの振れの状態を測定するための目盛が表示されている表示部材と、を備えていることを特徴とする、
心理実験装置。
【請求項２】
前記紐状部材を手指で持ちつつ前記言葉を認識した者の手指の振れる方向を、前記重りの振れ方により判定するものであることを特徴とする、
請求項１に記載の心理実験装置。
【請求項３】
前記表示部材には、サークルが表示され、
前記目盛は、前記サークルに沿って表示されていることを特徴とする、
請求項１又は２に記載の心理実験装置。
【請求項４】
前記表示部材は、シートであり、
前記紐状部材及び前記重りからなる振子と、前記シートと、を封入しておく透明又は半透明な袋を備えることを特徴とする、
請求項１〜３のいずれかに記載の心理実験装置。
【考案の詳細な説明】
【技術分野】
【０００１】
本考案は、振子を利用した心理実験装置に関するものである。
【背景技術】
【０００２】
従来から、振子を利用した心理実験装置が知られている（例えば、特許文献１参照）。この心理実験装置では、重りを吊した糸を手指で摘み、重りを静止させて心理実験を行う。重りを静止させることを試みた場合、無意識に手指が振れ始め、結果として重りが振れることになる。重りの振れ方は、心理状態が安定な状態から不安定な状態に推移するにつれて、真円運動から楕円運動を経て、直線運動に至るものとしている。この場合、重りの運動軌跡の形状を検討することで、心理状態が安定な状態であるか不安定な状態であるかを判定できる。例えば、精神統一をする際に、心理状態を自己確認できる。
【先行技術文献】
【特許文献】
【０００３】
【特許文献１】特公昭６３−０１７４４９号公報
【考案の概要】
【考案が解決しようとする課題】
【０００４】
しかしながら、このような心理実験装置では、実験時の心理状態が安定な状態であるか不安定な状態であるかを判定するだけであり、重りの運動軌跡の形状を出力するに留まる。すなわち、心理実験装置が心理状態に変化をもたらすような働きかけはしていない。
【０００５】
本考案は上記課題を鑑みてなされたものであり、心理状態に変化をもたらすことができる心理実験装置を提供することを目的とする。
【課題を解決するための手段】
【０００６】
（１）本考案は、手指で摘む紐状部材と、前記紐状部材によって吊り下げられ、無意識による手指の振れを増幅させて振れる重りと、前記重りの下方に配置され、心理状態に影響を及ぼす言葉と前記重りの振れの状態を測定するための目盛が表示されている表示部材と、を備えていることを特徴とする、心理実験装置である。
【０００７】
（２）本考案はまた、前記紐状部材を手指で持ちつつ前記言葉を認識した者の手指の振れる方向を、前記重りの振れ方により判定するものであることを特徴とする、上記（１）に記載の心理実験装置である。
【０００８】
（３）本考案はまた、前記表示部材には、サークルが表示され、前記目盛は、前記サークルに沿って表示されていることを特徴とする、上記（１）又は（２）に記載の心理実験装置である。
【０００９】
（４）本考案はまた、前記表示部材は、シートであり、前記紐状部材及び前記重りからなる振子と、前記シートと、を封入しておく透明又は半透明な袋を備えることを特徴とする、上記（１）〜（３）のいずれかに記載の心理実験装置である。
【考案の効果】
【００１０】
本考案によれば、心理状態に影響を及ぼす言葉が表示部材に表示されているので、紐状部材を手指で持って重りを吊るした場合、表示部材に表示されている言葉を認識することで心理状態に変化がもたらされ、手指が振れて重りが振れる。このように、表示部材に表示されている言葉が心理状態に変化をもたらし、結果として重りを振れさせるので、潜在意識的な心理状態を出力することができる。
【図面の簡単な説明】
【００１１】
【図１】本考案の実施形態に係る心理実験装置の正面図であり、（Ａ）はシートを示し、（Ｂ）は振子を示す。
【図２】振子の作用を示す概略図である。
【図３】心理実験装置の使用状態図である。
【図４】心理実験装置のパッケージ状態図である。
【考案を実施するための形態】
【００１２】
以下、図面を参照して、本考案の実施形態に係る心理実験装置１について詳細に説明する。
【００１３】
まず、図１及び図２を用いて、心理実験装置１の構成について説明する。図１は、心理実験装置１の正面図である。図１（Ａ）は、シート１０を示す。図１（Ｂ）は、振子２０を示す。図２は、振子２０の作用を示す概略図である。なお、本図及び以降の各図において、一部の構成を適宜省略して、図面を簡略化する。
【００１４】
図１及び図２に示される心理実験装置１は、振子を利用して自己の心理実験を行うための装置である。具体的に、心理実験装置１は、シート１０と、振子２０と、これらを封入しておく透明又は半透明な袋３０（図４参照）と、を備えている。
【００１５】
図１（Ａ）に示されるシート１０は、ハンディーサイズ（例えば、１７８ｍｍ×１２７ｍｍ）の紙から構成される。そして、シート１０は、振子２０の重り２２（図１（Ｂ）及び図２参照）の下方に配置されるように、平らなテーブルなどに置かれる。この、シート１０には、心理状態に影響を及ぼす言葉１１と、サークル１２と、サークル１２に沿った目盛１３と、目盛１３に対応する符号１４と、サークル１２内の使用状態図１５と、などが表示されている。なお、シート１０には、サークル１２、目盛１３、符号１４の背景となるイラストや写真が表示されるようにしてもよい。この場合、イラストや写真は、言葉１１に関連するものであることが好ましい。
【００１６】
言葉１１は、図示される「私は結婚できる！」に限定されず、「僕は算数ができる！」、「月収５０万円を達成できる！」など、任意の言葉としておくことができる。シート１０は、言葉の種類に応じて、複数枚用意されていることが好ましい。被験者は、任意のシート１０を選択して心理実験を行う。なお、言葉１１は、被験者が心理実験中に見やすいように表示されている必要があり、本実施形態では、シート１０の上方に赤色で表示されている。
【００１７】
サークル１２は、重り２２（図１（Ｂ）及び図２参照）が吊るされる場所を示す目印であり、シート１０の中央から若干下方寄りの位置に、青色の細線で真円を描くように表示されている。
【００１８】
目盛１３は、サークル１２に沿って、当該サークル１２の内側に、当該サークル１２と同じ青色の細線で表示されている。具体的に、目盛１３は、サークル１２の上下左右の４か所に表示されている。この目盛１３は、重り２２（図１（Ｂ）及び図２参照）の振れの状態を測定するためのものであり、等間隔に表示されていることが好ましい。これにより、目盛１３は、重り２２の回転（旋回）方向が時計回りであるか反時計回りであるかを視認させやすくしている。本実施形態では、さらに、目盛１３が９０度間隔に表示されている。すなわち、目盛１３が十字を描くように表示されている。これにより、重り２２が上下又は左右に振れた場合に、その振れ方を視認させやすくしている。
【００１９】
符号１４は、目盛１３の近傍に表示されている。各符号１４は、互いに異なるものである。本実施形態では、符号１４は、サークル１２の上方から時計回りに、Ｃ、Ｂ、Ｄ、Ａの順に表示されている。これにより、符号１４は、重り２２（図１（Ｂ）及び図２参照）の回転方向が時計回りの場合、Ｃ→Ｂ→Ｄ→Ａ方向の回転であると視認させることができる。あるいは、符号１４は、重り２２の回転方向が反時計回りの場合、Ｃ→Ａ→Ｄ→Ｂ方向の回転であると視認させることができる。このように、回転方向の符号１４で把握させることができ、重り２２の回転方向がどちら回りであるかを認識させやすくすることができる。
【００２０】
使用状態図１５は、心理実験装置１の使い方を示す図である。具体的に、使用状態図１５は、シートの上方で糸を摘んで重りを吊るすことを示している。これにより、使用状態図１５は、被験者に心理実験装置１の使い方を理解させることができる。
【００２１】
図１（Ｂ）及び図２に示される振子２０は、手指で糸２１を摘んで重り２２を吊り下げて用い、手指の振れを重り２２の振れに変換する器具である。この振子２０は、無意識による手指の振れを増幅させて重り２２の振れにする。具体的に、振子２０は、糸２１の先端に重り２２を連結したものである。
【００２２】
糸２１の長さは、適宜設定しておくことができるが、使い勝手を考慮すると、被験者の肘から手首までの長さより短いことが好ましい。また、糸２１の長さは、手指の振れの増幅を考慮すると、可能な限り長いことが好ましい。このため、糸２１の長さは、２２０ｍｍ以上２８０ｍｍ以下であることが好ましい。糸２１の径は、適宜設定しておくことができるが、振れの感度を考慮すると、細いことが好ましい。また、糸２１の径は、強度を考慮すると、細すぎないことが好ましい。このため、糸２１の径は、０．３ｍｍ以上３．０ｍｍ以下であることが好ましい。なお、本発明は、糸に代えて、紐、ワイヤー、チェーンなど、その他の紐状部材を採用することができる。重り２２は、振子２０として機能するために、ある程度の重さを有する。この重り２２には、５円玉や５０円玉のように孔が開いて糸２１を結び付けることができるものが適している。本実施形態において、重り２２は、５円玉を採用している。
【００２３】
次に、図３を用いて、心理実験装置１の使い方を説明する。図３は、心理実験装置１の使用状態図である。図３に示されるように、まず、被験者は、シート１０をテーブルなど平らな場所に置く。そして、重り２２がサークル１２の真ん中に位置するように、手指で糸２１を摘んで重り２２を吊り下げる。重り２２が動かないように安定させるように意識する。
【００２４】
また、被験者は、回答がＹＥＳと分かっている質問（例えば、被験者が女性である場合に、「私は女性である？」との質問）を自問する。そうすると、質問の内容を肯定する心理状態となり、無意識に手指が振れて、重り２２が一の方向に移動又は回転する（被験者によって異なるが、例えば、時計回りに回転する。）。続いて、回答がＮＯと分かっている質問（例えば、被験者が女性である場合に、「私は男性である？」との質問）を自問する。そうすると、質問の内容を否定する心理状態となり、無意識に手指が振れて、重り２２が一の方向と異なる方向に移動又は回転する（被験者によって異なるが、例えば、反時計回りに回転する。）。このような質問を自問することで、被験者は、肯定する心理状態の場合に重り２２が一の方向に移動又は回転し（例えば、時計回りに回転し）、否定する心理状態の場合に重り２２が異なる方向に移動又は回転する（例えば、反時計回りに回転する。）。
【００２５】
場合によっては、さらに、回答が、ＹＥＳの可能性が高いと分かっている質問（例えば、達成間際の事項について、「当該事項は達成できる？」との質問）を自問する。そうすると、ＹＥＳの可能性が高いという心理状態となり、無意識に手指が振れて、重り２２が更に異なる方向に移動又は回転する（被験者によって異なるが、例えば、前後に揺動する。）。また、回答が、ＹＥＳの可能性が低いと分かっている質問（例えば、達成がまだまだ先の事項について、「当該事項は達成できる？」との質問）を自問する。そうすると、ＹＥＳの可能性が低いという心理状態となり、無意識に手指が振れて、重り２２が更に異なる方向に移動又は回転する（被験者によって異なるが、例えば、左右に揺動する。）。このような質問を自問することで、被験者は、ＹＥＳの可能性が高いという心理状態の場合に重り２２が更に異なる方向に移動又は回転し（例えば、前後に揺動し）、ＹＥＳの可能性が低いという心理状態の場合に重り２２が更に異なる方向に移動又は回転する（例えば、左右に揺動する。）。
【００２６】
なお、無意識による手指の振れは、心理状態に応じて脳から手指に伝達される神経信号に起因している。神経信号は、肯定する心理状態の場合、否定する心理状態の場合、ＹＥＳの可能性が高いという心理状態の場合、ＹＥＳの可能性が低いという心理状態の場合で異なる。そして、上記の４つの心理状態に限定されず、他の心理状態の場合も考えられ、神経信号は、各心理状態で互いに異なる。また、手指の振れ方も、上記の４つに限定されず、他の振れ方（例えば、右奥から左手前の斜めの方向に揺動）もある。
【００２７】
なお、被験者によって、どちらに移動又は回転するかは決まっていない。例えば、Ａさんの場合、肯定する心理状態の場合に重り２２が時計回りに回転し、否定する心理状態の場合に重り２２が反時計回りに回転する。Ｂさんの場合、Ａさんとは異なり、肯定する心理状態の場合に重り２２が反時計回りに回転し、否定する心理状態の場合に重り２２が時計回りに回転する。このような質問を自問して、肯定又は否定する心理状態に対応する回転方向を把握しておくことで、心理実験の準備が整う。
【００２８】
その後、被験者は、シート１０に表示されている言葉１１「私は結婚できる！」を読んで認識する。そうすると、潜在意識として肯定する心理状態がある場合、言葉１１を肯定する心理状態となり、無意識に手指が振れて、重り２２が一の方向（回答がＹＥＳと分かっている質問を自問したときと同じ方向）に移動又は回転する。これにより、被験者は、言葉１１「私は結婚できる！」を肯定する潜在意識があることに気付くことができる。
【００２９】
あるいは、潜在意識として否定する心理状態がある場合、言葉１１を否定する心理状態となり、無意識に手指が振れて、重り２２が異なる方向（回答がＮＯと分かっている質問を自問したときと同じ方向）に移動又は回転する。これにより、被験者は、言葉１１「私は結婚できる！」を否定する潜在意識があることに気付くことができる。
【００３０】
あるいは、潜在意識としてＹＥＳの可能性が高いという心理状態がある場合、言葉１１の内容を実現する可能性が高いという心理状態となり、無意識に手指が振れて、重り２２が更に異なる方向（回答が、ＹＥＳの可能性が高いと分かっている質問を自問したときと同じ方向）に移動又は回転する。これにより、被験者は、言葉１１「私は結婚できる！」との内容を実現できる可能性が高いという潜在意識があることに気付くことができる。
【００３１】
あるいは、潜在意識としてＹＥＳの可能性が低いという心理状態がある場合、言葉１１の内容を実現する可能性が低いという心理状態となり、無意識に手指が振れて、重り２２が更に異なる方向（回答が、ＹＥＳの可能性が低いと分かっている質問を自問したときと同じ方向）に移動又は回転する。これにより、被験者は、言葉１１「私は結婚できる！」との内容を実現できる可能性が低いという潜在意識があることに気付くことができる。
【００３２】
次に、図４を用いて、心理実験装置１のパッケージ状態を説明する。図４は、心理実験装置１のパッケージ状態図である。
【００３３】
袋３０は、透明又は半透明な材質からなり、シート１０より一回り大きい封筒型を呈する。この袋３０には、シート１０と振子２０が封入される。袋３０が透明又は半透明であるので、内容物であるシート１０と振子２０を、封入した状態で確認することができる。
【００３４】
このように、心理実験装置１によれば、心理状態に影響を及ぼす言葉１１がシート１０に表示されているので、糸２１を手指で持って重り２２を吊るした場合、シート１０に表示されている言葉１１を認識することで心理状態に変化がもたらされ、手指が振れて重り２２が振れる。このように、シート１０に表示されている言葉１１が心理状態に変化をもたらし、結果として重り２２を振れさせるので、潜在意識的な心理状態を出力することができる。
【００３５】
本考案は、上記実施形態に限られるものではなく、その趣旨及び技術思想を逸脱しない範囲で種々の変形が可能である。すなわち、上記実施形態において、各構成の位置、大きさ、形状、材質、向き、数量などは適宜変更できる。例えば、シート１０において、サークル１２、目盛１３、符号１４の背景となるイラストや写真が表示されるようにしてもよい。この場合、イラストや写真は、言葉１１に関連するものであることが好ましい。
【符号の説明】
【００３６】
１  心理実験装置
１０  シート（表示部材）
１１  言葉
１２  サークル
１３  目盛
１４  符号
１５  使用状態図
２０  振子
２１  糸（紐状部材）
２２  重り
【図１】
0003182049.tif 000003
【図２】
0003182049.tif 000004
【図３】
0003182049.tif 000005
【図４】
0003182049.tif 000006
【手続補正書】
【提出日】平成24年12月27日(2012.12.27)
【手続補正１】
【補正対象書類名】図面
【補正対象項目名】図１
【補正方法】変更
【補正の内容】
【図１】
0003182049.tif 000007
【手続補正２】
【補正対象書類名】図面
【補正対象項目名】図４
【補正方法】変更
【補正の内容】
【図４】
0003182049.tif 000008